(57)【特許請求の範囲】
【請求項１】
顧客が購入する商品を取引毎に登録する登録手段と、
前記登録手段により登録された一取引に係る複数の商品を分割する分割手段と、
を備え、
会計装置において前記商品の精算時に用いられる精算用コードであって、前記分割手段により分割された単位毎のレシートを複数枚発行させるための精算用コードを生成する生成手段と、
前記生成手段により生成された精算用コードを単数枚の印刷媒体に印刷する印刷手段と、
を更に備え、
前記生成手段は、前記商品を前記会計装置において一取引として精算させるための会計情報と前記会計装置に前記分割手段により分割された単位毎のレシートを複数枚発行させるための分割発行情報とを前記会計装置で読み出し可能なように前記精算用コードを生成する
ことを特徴とする商品登録装置。
【請求項２】
前記分割された単位の変更及び分割の取り消しを行うための操作手段
を更に備えることを特徴とする請求項１に記載の商品登録装置。
【請求項３】
前記分割された単位毎に買い上げ明細を表示する表示手段
を更に備えることを特徴とする請求項１又は請求項２に記載の商品登録装置。
【請求項４】
前記顧客が購入する商品の明細の表示を分割単位の表示から品目毎に纏めた表示に切り換える表示切り替えボタン
を更に備えることを特徴とする請求項３に記載の商品登録装置。
【請求項５】
請求項１から４いずれか１項に記載の商品登録装置と、
前記単数枚の印刷媒体に印刷された前記精算用コードに基づき前記顧客自らが会計操作し、前記精算用コードに基づきレシートを複数枚発行する会計装置と
を備えるＰＯＳシステム。
【請求項６】
単数枚の印刷媒体に印刷された精算用コードに基づき顧客自らが会計操作し、前記顧客が購入する商品を一取引として精算し、分割された単位毎のレシートを複数枚発行させるための前記精算用コードに基づき前記レシートを複数枚発行する印刷手段
を備える会計装置。
【発明の詳細な説明】
【技術分野】
【０００１】
本発明は、商品登録装置、ＰＯＳシステム及び会計装置に関する。
【背景技術】
【０００２】
従来から、会計後に発行されるレシートを複数枚に分割することができるＰＯＳレジスタがある（例えば、特許文献１及び２参照。）。このようなＰＯＳレジスタでは、顧客が所望する買い上げ明細単位毎に分割してレシート（複数枚）を発行して欲しいという申し出があった場合、買い上げ明細を分割した後、店員は分割単位毎に呼び出し操作を行い、分割後の買い上げ明細を表示して確認作業を行っていた。
【先行技術文献】
【特許文献】
【０００３】
【特許文献１】特開２００１−２３６５７１号公報
【特許文献２】特開平５−４０８８５号公報
【発明の概要】
【発明が解決しようとする課題】
【０００４】
上述したように、従来のＰＯＳレジスタでは、分割単位毎の呼び出し操作とその確認作業とが煩雑であり、分割ミスを見過ごしてしまう可能性があった。このため、会計後に発行される複数枚のレシートが顧客の所望する買い上げ明細単位になっていないという問題が生じてしまう場合があった。
【０００５】
本発明は上記の点に鑑みてなされたものであり、その目的は、顧客が所望する単位に正しくレシートを分割して発行させる商品登録装置及びＰＯＳシステムを提供することにある。
【課題を解決するための手段】
【０００６】
本発明は上記の課題を解決するためになされたものであり、本発明の一態様は、顧客が購入する商品を取引毎に登録する登録手段と、前記登録手段により登録された一取引に係る複数の商品を分割する分割手段と、前記分割手段により分割された商品を分割単位毎に区分して表示する表示手段と、を備えることを特徴とする商品登録装置である。
【０００７】
この発明によれば、商品の登録時に、分割した単位毎に一取引の商品を区分して表示するので、店員はレシート発行前に分割結果を目視確認することが容易である。このため、分割操作などのミスを発見し易く、会計後に発行される分割レシートが顧客の所望した買い上げ明細の括りと異なるということが少なくなる。
【０００８】
また、本発明の一態様は、上記の商品登録装置において、前記表示手段は、前記分割手段により分割された単位毎に商品の表示色又は背景色を異ならせる、或いは、前記分割手段により分割された単位毎に商品を区分する境界線を設ける、或いは、前記分割手段により分割された単位毎に付番して商品を表示する、或いは、前記分割手段により分割された単位毎に商品を前記会計装置において発行されるレシートのイメージに変換して表示することを特徴とする。
【０００９】
この発明によれば、分割表示される商品の背景色あるいは文字色を異ならせる、或いは、商品の分割域を示す境界線を設ける、或いは、分割した商品毎に番号を付番する、或いは、分割された商品毎に連続したレシートイメージで分割表示を行なうので、分割の括りが明確となる。これにより、店員は、更にレシート発行前に分割ミスを発見し易い。
【００１０】
また、本発明の一態様は、上記の商品登録装置において、会計装置において前記商品の精算時に用いられる精算用コードであって、前記分割手段により分割された単位毎にレシートを発行させるための精算用コードを生成する生成手段と、前記生成手段により生成された精算用コードを印刷媒体に印刷する印刷手段と、を更に備え、前記生成手段は、前記商品を前記会計装置において一取引として精算させるための会計情報と、前記会計装置に前記分割手段により分割された単位毎にレシートを発行させるための分割発行情報とを前記精算用コードに含めることを特徴とする。
【００１１】
この発明によれば、一取引として精算することができる会計情報を精算用コードに含めるため、会計装置において、顧客は精算を1回で済ませることができる。また、精算コードに、分割された単位毎にレシートを発行させるための分割発行情報が含まれるため、会計装置において会計後に発行されるレシートが、顧客の所望する買い上げ明細単位で分割して発行される。このため、顧客は会計装置で余計な操作を行うことなく、所望する精算とレシートの発行とを可能にする。
【００１２】
また、本発明の一態様は、上記の商品登録装置と、前記印刷媒体に印刷された前記精算用コードに基づき前記顧客自らが会計操作し、前記精算用コードに基づき単数枚又は複数枚のレシートを発行する会計装置とを備えるＰＯＳシステムである。
【００１３】
この発明によれば、画面領域内で、分割した単位毎に一取引データの登録商品を区分して連続表示するので、店員はレシート発行前に分割結果を目視確認することが容易である。このため、分割操作などのミスを発見し易く、会計後に発行される分割レシートが顧客の所望した買い上げ明細の括りと異なるということが少なくなる。また、顧客自らが操作して会計を行う会計装置においては、顧客は会計装置で余計な操作を行うことなく精算を一取引の会計として１回で済ませることが出来、会計後に発行されるレシートは顧客が所望する買い上げ明細単位に分割して発行される。これにより、顧客は、会計装置において、精算と顧客の所望する単位でのレシート発行とを容易に行う事が出来る。
【発明の効果】
【００１４】
本発明によれば、分割した単位毎に一取引の商品を区分して表示するので、店員はレシート発行前に分割結果を目視確認することが容易である。このため、分割操作などのミスを発見し易く、会計後に発行される分割レシートが顧客の所望した買い上げ明細の括りと異なるということが少なくなる。
【図面の簡単な説明】
【００１５】
【図１】本発明の一実施形態における、ＰＯＳシステムにおける会計処理の流れを示すイメージ図である。
【図２】一実施形態における、ＰＯＳシステムの構成図である。
【図３】一実施形態における、印刷用ＰＯＳレジスタの構成を示すブロック図である。
【図４】一実施形態における、印刷用ＰＯＳレジスタのＲＡＭに記憶される情報の一例を示す概略図である。
【図５】一実施形態における、印刷用ＰＯＳレジスタのＲＡＭに記憶される買い上げ明細情報のデータ構造及びデータ例を示す概略図である。
【図６】一実施形態における、印刷用ＰＯＳレジスタの表示部（店員用）に表示する買い上げ明細画面の一例を示すイメージ図である。
【図７】一実施形態における、印刷用ＰＯＳレジスタの表示部（店員用）に表示する明細エリアの一例を示すイメージ図である。
【図８】一実施形態における、印刷用ＰＯＳレジスタの表示部（店員用）に表示する明細エリアの一例を示すイメージ図である。
【図９】一実施形態における、会計用ＰＯＳレジスタの構成を示すブロック図である。
【図１０】一実施形態における、印刷用ＰＯＳレジスタの動作を示すフローチャートである。
【図１１】一実施形態における、会計用ＰＯＳレジスタの動作を示すフローチャートである。
【発明を実施するための形態】
【００１６】
以下、図面を参照しながら本発明の実施形態について詳しく説明する。図１は、一実施形態における、ＰＯＳ（Ｐｏｉｎｔ  Ｏｆ  Ｓａｌｅｓ）システムにおける会計処理の流れを示すイメージ図である。まず、印刷用ＰＯＳレジスタ（商品登録装置）２０は、顧客が購入する商品に付されたバーコードを、店員の操作によりスキャンして、商品登録する。
【００１７】
顧客が購入する全ての商品のバーコードについて商品登録が完了した場合、印刷用ＰＯＳレジスタ２０は、精算用コードを印刷媒体（レシート用紙）である精算用レシート（会計用伝票）４０に印刷し、精算用レシート４０を顧客に発行する。ここで、精算用コードは、２次元コード又は１次元コードである。２次元コードは、例えば、ＱＲ（Ｑｕｉｃｋ  Ｒｅｓｐｏｎｓｅ）コード（登録商標）であり、顧客が購入する全ての商品の買上内容（買い上げ明細情報）と、買上金額（購入金額）を精算する際に読み取られる買上内容の順番を示す順番情報と、を含む会計情報を示す。１次元コードは、例えばバーコードであり、会計情報の識別情報を示す。
【００１８】
精算用レシート４０を受け取った顧客は、会計用ＰＯＳレジスタ（会計装置）３０が備えるスキャナ部を用いて、精算用レシート４０に印刷された２次元コードを読み取らせ、その顧客自身が、会計用ＰＯＳレジスタ３０の操作ボタンを操作することで、買上金額を精算する。
【００１９】
これにより、店員は、商品登録と精算用コードの印刷操作とを行うが、買上金額の精算を行わないので、効率よく短時間に会計処理を行うことができる。また、顧客が購入する商品の登録については店員が行うので、店員は、商品登録の改ざんが起こらないよう、セキュリティ面における監視役としての役割も果たすことができる。
【００２０】
なお、２次元コードが印刷された精算用レシート４０を発行する印刷用ＰＯＳレジスタ２０と、精算用レシート４０に印刷された精算用コードに基づいて、商品の買上金額の精算を行う会計用ＰＯＳレジスタ３０の設置台数とを、同数にする必要はない。例えば、会計用ＰＯＳレジスタ３０における処理時間は、精算用コードに基づいて会計を行うので短いため、会計用ＰＯＳレジスタ３０の設置台数を少なくしてもよい。
【００２１】
これにより、会計用ＰＯＳレジスタ３０の設置台数を削減して、会計用ＰＯＳレジスタ３０が設置される面積を削減すれば、削減した面積を売り場面積として有効活用させることができる。また、仮に、印刷用ＰＯＳレジスタ２０及び会計用ＰＯＳレジスタ３０の少なくとも一方の台数を削減した場合、従来のＰＯＳシステムと比べると、会計処理にかかる時間を大幅に短縮することができるので、会計処理を待つ顧客の待ち行列を解消させることができる。
【００２２】
次に、ＰＯＳシステムの各構成について説明する。
図２は、一実施形態における、ＰＯＳシステムの構成図である。図２に示すように、ＰＯＳシステムは、ストアコントローラ１０と、Ｎ台（Ｎは１以上の整数）の印刷用ＰＯＳレジスタ２０と、Ｍ台（Ｍは１以上の整数）の会計用ＰＯＳレジスタ３０とを含んで構成される。
【００２３】
ストアコントローラ１０は、ＰＯＳシステムを制御するコンピュータであり、商品マスタなどの種々の情報を管理する。ストアコントローラ１０は、各印刷用ＰＯＳレジスタ２０及び各会計用ＰＯＳレジスタ３０に、最新の商品マスタを適宜送信する。ここで、商品マスタとは、各商品の商品識別情報、商品名称、及び販売価格などの商品情報を格納したファイルであって、適宜更新される。また、ストアコントローラ１０は、印刷用ＰＯＳレジスタ２０から顧客の買い上げ明細情報（会計情報）と当該買い上げ明細情報を識別する識別情報とを受信すると、受信した買い上げ明細情報と識別情報とを対応付けて記憶する。また、ストアコントローラ１０は、会計用ＰＯＳレジスタ３０から識別情報を受信すると、受信した識別情報に対応する買い上げ明細情報を会計用ＰＯＳレジスタ３０へ返信する。
【００２４】
印刷用ＰＯＳレジスタ２０には、ストアコントローラ１０に接続されていない印刷用ＰＯＳレジスタ２０と、ＬＡＮ（Ｌｏｃａｌ  Ａｒｅａ  Ｎｅｔｗｏｒｋ）１１を介してストアコントローラ１０に接続されている印刷用ＰＯＳレジスタ２０とが存在してよい。
【００２５】
印刷用ＰＯＳレジスタ２０には、顧客が購入する商品に付されたバーコード（商品コード）を店員の操作により読み取るスキャナが接続されている。印刷用ＰＯＳレジスタ２０は、顧客が購入する商品の全ての買上内容（買い上げ明細情報）をコード（精算用コード）に変換して、変換したコードを精算用レシート４０に印刷する。ここで、精算用レシート４０に印刷されるコードは、２次元コードである。或いは、印刷用ＰＯＳレジスタ２０は、顧客が購入する商品のすべての買上内容（買い上げ明細情報、所謂、会計前の登録商品情報）と当該買い上げ明細情報の識別情報とをストアコントローラ１０に送信する。そして、印刷用ＰＯＳレジスタ２０は、買い上げ明細情報の識別情報を示すバーコードを精算用レシート４０に印刷する。
【００２６】
会計用ＰＯＳレジスタ３０には、ストアコントローラ１０に接続されていない会計用ＰＯＳレジスタ３０と、ＬＡＮ１１を介してストアコントローラ１０に接続されている会計用ＰＯＳレジスタ３０とが存在してよい。
【００２７】
会計用ＰＯＳレジスタ３０は、顧客自らが会計操作を行うＰＯＳレジスタである。会計用ＰＯＳレジスタ３０には、精算用レシート４０に印刷されたコード（精算用コード）を読み取るスキャナが接続されている。会計用ＰＯＳレジスタ３０は、顧客の操作により、精算用レシート４０に印刷されたコードをスキャナで読み取り、さらに、操作ボタンを介した操作入力に応じて、商品の買上金額の精算を行なう。また、会計用ＰＯＳレジスタ３０は、精算用コードに基づき、単数枚又は複数枚の会計済みレシートを発行する。
【００２８】
図３は、一実施形態における、印刷用ＰＯＳレジスタ２０の構成を示すブロック図である。本発明における印刷用ＰＯＳレジスタ２０は、会計後に発行される会計済みレシートを所望する買い上げ明細単位に分割して複数枚発行して欲しいという申し出が顧客からあった場合に、商品を分割登録した後、店員による分割後の発行されるであろうレシートの買い上げ明細の確認作業を容易にするものである。印刷用ＰＯＳレジスタ２０は、ＣＰＵ（Ｃｅｎｔｒａｌ  Ｐｒｏｃｅｓｓｉｎｇ  Ｕｎｉｔ）２０１と、ＲＯＭ２０２と、ＲＡＭ２０３と、スキャナ部２０４と、表示部（店員用）２０５と、表示部（客用）２０５ａと、操作部２０６と、通信部２０７と、ブザー２０８と、レシート印刷手段２０９と、ハードディスク２１０とを備える。これらは、バスを介して相互に通信可能である。
【００２９】
ＲＯＭ２０２は、読み出し専用メモリであり、プログラムを予め記憶する。
ＣＰＵ２０１は、中央演算処理装置であり、ＲＯＭ２０２に記憶されているプログラムを読み出して実行することにより、印刷用ＰＯＳレジスタ２０の動作を制御する。例えば、ＣＰＵ（登録手段）２０１は、操作部２０６の操作に応じて、顧客の購入する商品を買い上げ明細情報（一取引データ）として登録する。また、ＣＰＵ（分割手段）２０１は、分割ボタンの操作に応じて、登録した一取引データを分割（分割登録）する。また、ＣＰＵ（表示手段）２０１は、登録した一取引データの買い上げ明細を、分割した単位毎に区分して表示部（店員用）２０５に表示する。例えば、ＣＰＵ（表示手段）は、分割された単位毎にレシート発行される買い上げ明細の表示色又は背景色を異ならせる、或いは、分割された単位毎にレシート発行される買い上げ明細を区分する境界線を設ける、或いは、分割された単位毎に付番した買い上げ明細を表示する、或いは、分割された単位毎に買い上げ明細を会計済みレシートの印刷イメージに変換して表示する。また、ＣＰＵ（生成手段）２０１は、登録された一取引データの精算用コードを生成する。そして、ＣＰＵ２０１は、レシート印刷手段２０９を制御して、生成した精算用コードを精算用レシート４０に印刷させる。
【００３０】
スキャナ部２０４は、商品に付されているバーコード（商品コード）を光学的に読み取る。
ＲＡＭ２０３は、随時読み出し書き込みメモリであり、種々の情報を記憶する。例えば、ＲＡＭ２０３は、スキャナ部２０４によって読み取られたバーコードに基づく商品情報などを記憶する。また、例えば、ＲＡＭ２０３は、操作ボタンが操作された履歴を記憶してもよい。
【００３１】
表示部（店員用）２０５及び表示部（客用）２０５ａは、種々の情報を表示する。例えば、表示部（店員用）２０５及び表示部（客用）２０５ａは、商品マスタから取得した情報（例えば、商品の名称、価格等）を表示する。また、表示部（店員用）２０５は、タッチパネル（例えば、液晶タッチパネル）であり、店員に対する種々の情報を表示する。例えば、表示部（店員用）２０５は、画面内の領域に表示された分割ボタンが操作されることにより、商品の分割登録について操作入力を受け付ける。さらに、表示部（店員用）２０５は、画面内の領域に表示された操作ボタン（プリセットボタン）が操作されることにより、予め設定登録された商品情報（商品コード等）について、操作入力を受け付ける。
【００３２】
操作部２０６は、印刷用ＰＯＳレジスタ２０を動作させるための各種の操作ボタン（分割ボタン、小計キー、現計キー、置数キー、訂正キー、及びプリセットキー等）を備える。例えば、操作部２０６は、分割ボタンが操作されることにより、商品の分割登録についての操作入力を受け付ける。また、操作部２０６は、操作ボタン（プリセットキー）が操作されることにより、そのプリセットキーに予め設定登録されている商品情報（商品コード等）について、操作入力を受け付ける。
【００３３】
通信部２０７は、ＬＡＮ１１を介して、他の装置と通信する。なお、例えば、ＣＤ−ＲＯＭなどの記憶媒体を介してＲＡＭ２０３に最新の商品マスタを記憶させるなどすれば、通信部２０７は、ストアコントローラ１０に必ずしも接続されていなくてよい。
ブザー２０８は、店員が操作を確認することが必要な場合などに、ブザー音を発生させる。
【００３４】
レシート印刷手段２０９は、精算用コードを精算用レシート４０に印刷する。
ハードディスク２１０は、精算用コードが精算用レシート４０に印刷された場合、ＲＡＭ２０３が一時的に記憶する顧客の買上内容及び順番情報を記憶する。
【００３５】
図４は、一実施形態における、印刷用ＰＯＳレジスタ２０のＲＡＭ２０３に記憶される情報の一例を示す概略図である。
ＲＡＭ２０３には、買い上げ明細表示設定と、買い上げ明細情報と、商品マスタ情報と、顧客情報とが記憶される。買い上げ明細表示設定は、買い上げ明細の表示方法（表示形態）の設定である。買い上げ明細表示設定は、店員による操作部２０６の操作により設定変更可能である。印刷用ＰＯＳレジスタ２０は、複数種類の表示方法をＲＡＭ２０３に買い上げ明細表示設定（設定ファイル）として記憶させておき、オペレータによって切り替えて分割表示の表示形態を変更することができる。買い上げ明細情報（一取引データ）は、顧客が購入する商品に関する情報である。商品マスタ情報は、商品マスタである。顧客情報は、会員番号や氏名等の顧客に関する情報である。
【００３６】
図５は、一実施形態における、印刷用ＰＯＳレジスタ２０のＲＡＭ２０３に記憶される買い上げ明細情報のデータ構造及びデータ例を示す概略図である。
図示するように、買い上げ明細情報は、分割識別子と、ＪＡＮコードと、商品名称と、個数と、値段と、付加情報との各項目を有している。分割識別子は、数字や記号等からなり、分割された単位（以下、分割単位とする。）毎にレシートを発行させるための分割発行情報である。ここで、同一の分割単位に含まれる商品は同一の分割識別子を有する。すなわち、１つのレシートに印刷される商品の分割識別子は同一に設定される。本図に示す例では、分割識別子「空白（スペース）」である「キャベツ」と「にんじん」とが１つの分割単位であり、１枚のレシートに印刷される。また、分割識別子「１」である「レタス」と「トマト」と「チョコレート」とが１つの分割単位であり、１枚のレシートに印刷される。すなわち、本図に示す例では、「キャベツ」と「にんじん」との買い上げ明細が印刷されたレシートと、「レタス」と「トマト」と「チョコレート」との買い上げ明細が印刷されたレシートとの２枚の会計済みレシートが発行される。ＪＡＮコードは、商品識別情報である。商品名称は、商品の名称である。個数は、商品の買上個数である。値段は、商品の販売価格である。付加情報は、商品の付加情報である。ＪＡＮコード、商品名称、個数、値段及び付加情報は、買い上げ明細情報を会計用ＰＯＳレジスタ３０において一取引として精算させるための会計情報である。尚、前記示した分割識別子に限らず例えば、取引記号に分割識別記号を枝番とする（例えば、Ｐ１２１３００−１，Ｐ１２３００−２、…等）ようにしてもよい。この場合、取引記号は、一意となるように商品登録装置の装置番号や数字及び記号からなるものとし、分割識別記号は、当該顧客の一取引内で分割登録された商品を数字や記号によって分割単位に区分することができる記号とするようにしてもよい。このような分割識別子を使用した場合、会計装置における会計精算時に画面に買い上げ明細情報を表示する場合には取引記号に基づいて一取引の扱いで行ない、レシートの発行は分割識別記号に基づいて分割識別記号単位に分割して発行することができる。また、当該顧客がレシートの分割発行を行なうことを止めて一枚のレシートに全ての買い上げ明細情報を印刷し発行を行ないたい場合には、図示されていない会計装置の画面に設けた纏め発行ボタンを押下することにより、分割登録されている買い上げ明細情報を取引記号に基づき全ての買い上げ明細情報を一枚のレシートに印刷して発行することができる。
【００３７】
図６は、一実施形態における、印刷用ＰＯＳレジスタ２０の表示部（店員用）２０５に表示する買い上げ明細画面の一例を示すイメージ図である。
買い上げ明細画面には、顧客が購入する商品（登録された商品）の明細を顧客が所望した分割の単位に区分し表示する明細エリアＴ（明細表示領域）が設けられている。明細エリアＴには、分割された買い上げ明細が、一取引として且つ分割単位に目視確認容易に連続して前記領域内に表示される。なお、明細エリアＴの表示内容は、明細エリアＴ上をタッチしたまま指を動かすことにより、上下左右にスクロール可能である。或いは、買い上げ明細画面に表示される上ボタンＵ又は下ボタンＤを押下することにより明細エリアＴの表示内容を上下にスクロールしてもよい。なお、本買い上げ明細画面に商品を分割登録するための分割ボタンを表示してもよい。
【００３８】
図７及び図８は、一実施形態における、印刷用ＰＯＳレジスタ２０の表示部（店員用）２０５に表示する明細エリアＴの一例を示すイメージ図である。ここで、買い上げ明細には、各商品の商品個数（例えば、「０００１」）と、商品名称（例えば、「商品１」）と、販売価格（例えば、「￥１００」）と、ＪＡＮコード（又はプリセットコード）（例えば、「Ｐ００００００００００００１」）と、税の種別（外税「外」、内税「内」又は非課税「非」）とが含まれる。ＣＰＵ（表示手段）２０１は、ＲＡＭ２０３に記憶される買い上げ明細表示設定に基づいて、図７又は図８に示す表示方法により、買い上げ明細を分割単位毎に区分して連続表示する。
図７及び図８（ａ）は、友達４人で、３種類の商品（商品１〜商品３）をそれぞれ１個ずつ購入し、それぞれのレシート（４枚）を分割して発行する場合の例である。
【００３９】
図７（ａ）は、買い上げ明細表示設定が「表示１」である場合の明細エリアＴの表示例である。本例では、境界線Ｌを用いて分割単位ごとに買い上げ明細を区分している。すなわち、ＣＰＵ（表示手段）２０１は、買い上げ明細表示設定が「表示１」である場合、分割単位毎に買い上げ明細を区分する境界線Ｌを設ける。なお、本図では、境界線Ｌを破線としているが、買い上げ明細を区分することができれば、例えば実線や波線等であってもよい。
【００４０】
図７（ｂ）は、買い上げ明細表示設定が「表示２」である場合の明細エリアＴの表示例である。本例では、各分割単位の背景色（又は表示色）を交互に変更して買い上げ明細を区分する。すなわち、ＣＰＵ（表示手段）２０１は、買い上げ明細表示設定が「表示２」である場合、分割単位毎に買い上げ明細の背景色（又は表示色）を異ならせる。なお、本例では、背景色を交互に変更しているが、分割単位毎に異なる色を割り当ててもよい。或いは、分割単位毎に買い上げ明細の表示色を異なるようにしてもよい。
【００４１】
図８（ａ）は、買い上げ明細表示設定が「表示３」である場合の明細エリアＴの表示例である。本例では、分割単位毎に付番した買い上げ明細を表示する。すなわち、ＣＰＵ（表示手段）２０１は、買い上げ明細表示設定が「表示３」である場合、分割単位毎に付番し、各商品の買い上げ明細に付番した番号（本図に示す例では、１〜４）を表示する。
【００４２】
図８（ｂ）は、買い上げ明細表示設定が「表示４」である場合の明細エリアＴの表示例である。本例では、分割単位毎に、会計用ＰＯＳレジスタ３０において発行される会計済みレシートのイメージ図Ｉを表示する。すなわち、ＣＰＵ（表示手段）２０１は、買い上げ明細表示設定が「表示４」である場合、分割単位毎に買い上げ明細を会計済みレシートのイメージ図Ｉに変換し、変換したイメージ図Ｉを明細エリアＴに表示する。
【００４３】
図９は、一実施形態における、会計用ＰＯＳレジスタ３０の構成を示すブロック図である。会計用ＰＯＳレジスタ３０は、ＣＰＵ３０１と、ＲＯＭ３０２と、ＲＡＭ３０３と、スキャナ部３０４と、表示部３０５と、操作部３０６と、通信部３０７と、ブザー３０８と、印刷手段３０９と、決済装置３１０〜３１２のポートを備える。これらは、バスを介して相互に通信可能である。尚、前記決済装置３１０〜３１２のポートは、決済種別毎の決済装置が接続できるようになっており、前記ポートは、例えば、ＵＳＢ（Ｕｎｉｖｅｒｓａｌ Ｓｅｒｉａｌ Ｂｕｓ）等のインターフェースに対応する仕様となっている。各種決済装置が決済装置３１０〜３１２のポートに接続され、該決済装置本体の電源がＯＮされることにより、これらはバスを介して前記ＣＰＵ３０１と相互に通信可能となる。
【００４４】
スキャナ部３０４は、印刷用ＰＯＳレジスタ２０により精算用レシート４０に印刷された精算用コード、又は商品に付されているバーコード（商品コード）を光学的に読み取る。
【００４５】
ＲＡＭ３０３は、種々の情報を記憶する、随時読み出し書き込みメモリである。例えば、ＲＡＭ３０３は、ストアコントローラ１０から取得した商品マスタ、及びスキャナ部３０４によって読み取られた精算用コードによって示される商品の買上内容（会計情報）などを記憶する。
【００４６】
決済装置（釣銭釣札機）３１０は、会計（商品の買上金額の精算）において、現金により決済を実行し、決済を実行した結果（例えば、決済が成立したか否かを示す情報）を、ポート及びバスを介してＣＰＵ３０１に出力する。
【００４７】
決済装置３１１は、会計において、クレジットにより決済を実行し、決済を実行した結果を、ポート及びバスを介してＣＰＵ３０１に出力する。
【００４８】
決済装置３１２は、会計において、電子マネーＡにより決済を実行し、決済を実行した結果を、ポート及びバスを介してＣＰＵ３０１に出力する。
【００４９】
表示部３０５は、ＣＰＵ３０１からの制御に応じて、種々の情報を画面に表示する。また、表示部３０５は、画面に表示した操作ボタンが操作された履歴（例えば、操作回数、操作順など）を、操作ボタン毎にＲＡＭ３０３に記憶させる。
【００５０】
ＲＯＭ３０２は、プログラムを記憶している読み出し専用メモリである。
ＣＰＵ３０１は、中央演算処理装置であり、ＲＯＭ３０２に記憶されているプログラムを読み出して実行することにより、会計用ＰＯＳレジスタ３０の動作を制御する。
【００５１】
例えば、ＣＰＵ３０１は、スキャナ部３０４が読み取った精算用コードに基づいて、顧客の買い上げ明細情報を読み出し、読み出した買い上げ明細情報に基づいて会計処理を実行する。また、ＣＰＵ３０１は、読み出した買い上げ明細情報に含まれる分割識別子に基づいて、分割単位毎に会計済みレシートを印刷手段３０９に発行させる。具体的には、ＣＰＵ３０１は、分割識別子が同じ商品を同一の会計済レシートに印刷する。
【００５２】
操作部３０６は、会計用ＰＯＳレジスタ３０を動作させるための各種の操作ボタン（訂正キー及びプリセットキー等）を備える。例えば、操作部２０６は、操作ボタン（訂正キー）が操作されることにより、操作入力の訂正を受け付ける。
【００５３】
通信部３０７は、ＬＡＮ１１を介して、他の装置と通信する。例えば、ストアコントローラ１０と接続して、ストアコントローラ１０から最新の商品マスタを取得する。なお、例えば、ＣＤ−ＲＯＭなどの記憶媒体を介してＲＡＭ３０３に最新の商品マスタを記憶させるなどすれば、通信部３０７は、ストアコントローラ１０に必ずしも接続されていなくてよい。
【００５４】
ブザー３０８は、エラー等が発生した場合、エラーを報知するブザー音を発生させる。
印刷手段３０９は、会計（商品の買上金額の精算）が終了した場合、顧客が持ち帰る会計済みレシートを印刷して発行する。
【００５５】
次に、ＰＯＳシステムにおける動作の手順を説明する。
図１０は、一実施形態における、印刷用ＰＯＳレジスタ２０の動作を示すフローチャートである。
まず、ＣＰＵ２０１は、買い上げ明細画面を表示部（店員用）２０５に表示する（ステップＳ１０１）。このとき、ＣＰＵ２０１は、ＲＡＭ２０３に記憶される買い上げ明細表示設定に基づいて、明細エリアＴの表示方法を決定する。
次に、店員が、印刷用ＰＯＳレジスタ２０のスキャナ部２０４を用いて、商品のバーコードを読み込ませる。スキャナ部２０４は、バーコードが示すＪＡＮコードを読み込む（ステップＳ１０２）。
【００５６】
ＣＰＵ２０１は、当該読み込んだＪＡＮコードの商品に関する情報（例えば、ＪＡＮコード、商品名称、値段、付加情報等）をＲＡＭ２０３の買い上げ明細情報に書き込み、当該商品を登録する（ステップＳ１０３）。このとき、ＣＰＵ２０１は、買い上げ明細情報に当該商品の分割識別子を書き込む。例えば、ＣＰＵ２０１は、分割ボタンが押下されていない場合には、分割識別子に空白（スペース）を書き込む。また、ＣＰＵ２０１は、前記読み込んだバーコードに基づき、商品マスタをＲＡＭ２０３から読み込み、買い上げ明細（商品に関する情報）を表示部（店員用）２０５に表示している買い上げ明細画面の明細エリアＴに表示させる。なお、このとき、ＣＰＵ２０１は、明細エリアＴの表示内容を表示部（客用）２０５ａにも表示してもよい。これにより、分割された買い上げ明細を、店員だけでなく顧客も確認することができるため、顧客にも分割された買い上げ明細をチェックしてもらえるというメリットがある。また、顧客は、自身で分割内容を確認することができるため、安心して会計済みレシートを発行することができる。
【００５７】
続いて、ＣＰＵ２０１は、分割ボタンが押下されたか否かを判定する（ステップＳ１０４）。
分割ボタンが押下された場合（ステップＳ１０４：Ｙｅｓ）、ＣＰＵ２０１は、買い上げ明細情報に書き込む分割識別子を変更する（ステップＳ１０５）。例えば、ＣＰＵ２０１は、分割識別子に１加算する。
一方、分割ボタンが押下されていない場合（ステップＳ１０４：Ｎｏ）、又はステップＳ１０５に続いて、ＣＰＵ２０１は、商品登録が完了したか否かを判定する（ステップＳ１０６）。具体的には、ＣＰＵ２０１は、操作部２０６にある印刷ボタンまたは現計キーが押下された場合に、商品登録が完了したと判定する。店員は、買い物かごに入っている全ての商品のバーコードが読まれたら、操作部２０６にある「印刷」ボタンまたは「現計」キーを押す。
【００５８】
商品登録が完了していない場合（ステップＳ１０６：Ｎｏ）、ステップＳ１０２へ戻る。すなわち、印刷用ＰＯＳレジスタ２０は、買い物かごに入っている全ての商品のバーコードが読み込まれるまでＳ１０２〜Ｓ１０６までの処理を繰り返す。
【００５９】
一方、商品登録が完了した場合（ステップＳ１０６：Ｙｅｓ）、ＣＰＵ２０１は、買い上げ明細情報をＲＡＭ２０３から読み出し、読み出した買い上げ明細情報に基づいて精算用コードを生成する（ステップＳ１０７）。具体的には、ＣＰＵ２０１は、当該印刷用ＰＯＳレジスタ２０がＬＡＮ１１に接続していない場合、読み出した買い上げ明細情報を２次元コードに変換する。また、ＣＰＵ２０１は、当該印刷用ＰＯＳレジスタ２０がＬＡＮ１１に接続している場合、読み出した買い上げ明細情報に識別情報を付与し、買い上げ明細情報と付与した識別情報とをストアコントローラ１０に送信する。そして、ＣＰＵ２０１は、付与した識別情報を示すバーコードを生成する。
最後に、レシート印刷手段２０９が、生成された精算用コードを精算用レシートに印刷する（ステップＳ１０８）。
【００６０】
図１１は、一実施形態における、会計用ＰＯＳレジスタ３０の動作を示すフローチャートである。
まず、顧客は、会計用ＰＯＳレジスタ３０のスキャナ部３０４を用いて、精算用レシート４０の精算用コードを読ませる。スキャナ部３０４は、精算用コードを読み取る（ステップＳ２０１）。
【００６１】
次に、ＣＰＵ３０１は、読み取られた精算用コードに基づき、買い上げ明細情報を読み出し、読み出した買い上げ明細情報を表示部３０５に表示する（ステップＳ２０２）。例えば、ＣＰＵ３０１は、読み取られた精算用コードが２次元コードである場合、買い上げ明細情報を２次元コードから読み出す。一方、ＣＰＵ３０１は、読み取られた精算用コードがバーコードである場合、バーコードが示す識別情報を用いてストアコントローラ１０から買い上げ明細情報を読み出す。
【００６２】
そして、ＣＰＵ３０１は、表示部３０５に顧客への会計操作を進めるための指示を表示させる。その後、顧客が表示部３０５に表示された指示に従い、会計を済ませる（ステップＳ２０３）。
会計完了後に、ＣＰＵ３０１は、読み出した買い上げ明細情報に含まれる分割識別子に基づいて、印刷手段３０９に顧客が持ち帰る会計済みレシートを単数枚又は複数枚印刷させる（Ｓ２０４）。具体的には、ＣＰＵ３０１は、分割単位毎に会計済みレシートを発行する。すなわち、ＣＰＵ３０１は、分割識別子が同じ商品の買い上げ明細を同一の会計済みレシートに印刷する。
【００６３】
このように、本実施形態によれば、連続した画面領域内で、分割した単位毎に一取引の商品を区分して表示するので、店員はレシート発行前に分割結果を目視確認することが容易である。このため、分割操作などのミスを発見し易く、会計後に発行される分割レシートが顧客の所望した買い上げ明細の括りと異なるということが少なくなる。また、顧客自らが操作して会計を行う会計装置においては、顧客は会計装置で余計な操作を行うことなく精算を一取引の会計として１回で済ませることが出来、会計後に発行されるレシートは顧客が所望する買い上げ明細単位に分割して発行される。これにより、顧客は、会計装置において、精算と顧客の所望する単位でのレシート発行とを容易に行う事が出来る。
【００６４】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、上述した実施形態では、商品登録中に商品を分割しているが、客が購入する全ての商品について商品登録が完了した後、商品を分割してもよい。例えば、店員は、登録した商品（買い上げ明細）を表示部（店員用）２０５に表示させ、顧客が分割を所望する商品を複数選択（選択された商品明細は反転表示、或いは、符号により選択と未選択とが容易に識別可能）した後、分割ボタンを押下して買い上げ明細の分割登録をする。
また、分割された商品の分割識別子の変更及び分割の取り消しをできるようにしてもよい。例えば、操作部２０６又は表示部（店員用）２０５のタッチパネルに分割変更ボタンを設け、分割変更ボタンの押下により、分割識別子の変更や分割の取り消し等を行う。
また、図６における一実施形態において、印刷用ＰＯＳレジスタ２０の表示部（店員用）２０５に表示する買い上げ明細画面の明細エリアＴに顧客が購入する商品（登録された商品）の明細を顧客が所望した分割の単位に区分して表示するようにしたが、例えば、図示されていない明細エリアＴの表示切り替えボタン（ワンタッチボタン）によって、明細エリアＴに表示させた顧客が購入する商品（登録された商品）の明細を所望した分割単位の表示から顧客が購入する商品（登録された商品）の明細を品目毎に纏めて表示するように表示を切り換えるようにしてもよい。これにより、店員は登録した商品の数や金額が品目毎にまとまって表示されるので登録状況を把握し易く取消しや訂正の操作が行ない易く登録ミス等を軽減させるとともに、顧客が分割を所望する商品が会計前に確実にレシートにおいて分割発行されることを確認することができるので分割ミスを把握し易くなるという両方の効果を奏する。
【００６５】
なお、以上に説明したＰＯＳレジスタ（印刷用ＰＯＳレジスタ又は会計用ＰＯＳレジスタ）及びＰＯＳシステムを実現するためのプログラムを、コンピュータ読み取り可能な記録媒体に記録し、そのプログラムをコンピュータシステムに読み込ませて実行するようにしてもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００６６】
１０…ストアコントローラ、１１…ＬＡＮ、２０…印刷用ＰＯＳレジスタ、３０…会計用ＰＯＳレジスタ、４０…精算用レシート、２０１…ＣＰＵ、２０２…ＲＯＭ、２０３…ＲＡＭ、２０４…スキャナ部、２０５…表示部（店員用）、２０５ａ…表示部（客用）、２０６…操作部、２０７…通信部、２０８…ブザー、２０９…レシート印刷手段、２１０…ハードディスク、３０１…ＣＰＵ、３０２…ＲＯＭ、３０３…ＲＡＭ、３０４…スキャナ部、３０５…表示部、３０６…操作部、３０７…通信部、３０８…ブザー、３０９…印刷手段、３１０…決済装置、３１１…決済装置、３１２…決済装置
【図１】
0005929182.tif 000002
【図２】
0005929182.tif 000003
【図３】
0005929182.tif 000004
【図４】
0005929182.tif 000005
【図５】
0005929182.tif 000006
【図６】
0005929182.tif 000007
【図７】
0005929182.tif 000008
【図８】
0005929182.tif 000009
【図９】
0005929182.tif 000010
【図１０】
0005929182.tif 000011
【図１１】
0005929182.tif 000012